【事件の表示】
　特願２０００−３７２８９８「掃除機用の紙パック」拒絶査定不服審判事件〔平成１４年　３月１９日出願公開、特開２００２−　７８６５３〕について、次のとおり審決する。
【結　論】
　本件審判の請求は、成り立たない。
【理　由】
理　　由
 １．手続の経緯
　本件出願は、平成１２年１２月７日（国内優先権主張、平成１２年６月２１日）の特許出願であって、原審において平成１５年１２月２２日付けで拒絶理由通知がなされ、平成１６年３月８日付けで意見書及び手続補正書が提出されたが、平成１６年７月２１日付けで拒絶査定がなされ、これに対し、平成１６年８月２６日付けで拒絶査定不服の審判請求がなされるとともに、平成１６年９月２２日付けで、この審判請求書を補正対象とする手続補正と、明細書を補正対象とする手続補正の２つの手続補正がなされ、その後、特許法第１６２条による審査がなされ、平成１６年１２月６日付けで特許庁長官への報告がなされたものである。
　
　
２．本件発明
　そこで、本件の請求項１及び２に係る発明は、上記平成１６年９月２２日付けの、明細書を補正対象とする手続補正によって補正された明細書及び図面の記載からみて、その特許請求の範囲の請求項１及び２に記載された事項により特定される次のとおりのものである。
「　【請求項１】　集塵用の濾紙からなるパック本体と、このパック本体に付設された、中央部に貫通孔を有する口紙板とからなり、上記口紙板を掃除機内の被装着位置に嵌め込むことによってパック本体が掃除機内に装着されるように構成された掃除機用の紙パックであって、上記パック本体は、濾紙を裁断して得た展開紙を互いに平行な所定本数の折り目で山折りに折り畳んで両側部を貼着することにより角筒を形成し、この角筒の両開口を閉止するように開口側の展開紙を折り込んで貼着することにより形成され、萎ませることにより上記口紙板に積層された状態になる一方、膨らませることにより直方体状になるように上記展開紙が折り畳まれたものであり、上記口紙板が貼着されるパック本体における上記角筒の一方の開口を閉止した一面に上記口紙板の貫通孔に対応した空気導入孔が穿設され、上記角筒における他方の開口を閉止した他面に濾紙からなる補強紙が貼着されていることを特徴とする掃除機用の紙パック。
　　【請求項２】　上記紙パック本体の底部には摘み突起が設けられていることを特徴とする請求項１記載の掃除機用の紙パック。」
　
　
　
３．補正の目的
　上記補正は、補正前の請求項１を削除し、それに伴い、補正前の請求項２を独立請求項に書き改めるとともに繰り上げて、補正後の請求項１とし、補正前の請求項３を繰り上げ、補正後の請求項２とするものであって、この補正は平成１８年改正前特許法第１７条の２第４項第１号の請求項の削除を目的とするものに該当する。
　
　
　
４．引用刊行物
　刊行物１：特開昭６０−３４４２３号公報
　刊行物２：実願昭６３−４３９５９号（実開平１−１５５９５４号）の
　　　　　　マイクロフィルム
　刊行物３：英国特許第７８８５７８号明細書
　刊行物４：実願平７−５０２９号（実開平８−１２６１号）のＣＤ−Ｒ
　　　　　　ＯＭ
　
　
　
５．引用刊行物に記載された発明
（１）刊行物１に記載された発明
《記載事項》
　刊行物１には次のａ．〜ｇ．の記載がなされている。
ａ．「産業上の利用分野
　
本発明は
電気掃除機の集塵装置に関する
　従来例の構成とその問題点
　従来、この種電気掃除機の紙袋としては、筒型の紙（フィルター）の一端に塵埃，空気をとり入れる吸気口を設け、他端をのり付けによりシールするのが一般的であった。この場合、吸気口より突入した塵埃はその貫性力で吸気口と対応する位置の紙袋内壁にぶつかり、特に鋭利なガラス破片，プラスチック破片を吸い込むとやぶれてしまう場合が生じた。また、通常吸込む砂ゴミでさえも、吸気口と対応する位置に何度もぶつかることにより紙（フィルター）が疲労し、ピンホールを生じ、細塵が洩れ、洩れ細塵が排気より流出され、掃除中空気が汚れ、不衛生であった。また、塵埃が紙袋の吸気孔対応位置よりたまり塵埃が少したまると、圧損が大きくなり吸込性が悪くなった。すなわち、紙袋を取り換えた直後は吸塵性が良いが、すこし掃除するとすぐ吸塵性が低下し、紙袋の中に充分塵埃がたまらない状態でも取り換えなければならなかった。」（第１頁左下欄１３行〜右下欄１４行）（なお、下線は当審が付した。以下、同じ。）
　
ｂ．「発明の目的
　本発明はこれら塵埃洩れ、吸塵性能低下の問題を解消し、安価な紙袋を提供するものである。
　発明の構成
　本発明は、紙袋の吸気口と対応する位置に同吸気口形状より大きな不通気性の部分を設けることにより破れ、またはピンホールの発生を防止し、また貫性力のついた塵埃が不通気部に当って回動し、目詰りをすぐにおこさず持続した吸塵性能が確保できるようにしたものである。」（第１頁右下欄１５行〜第２頁左上欄４行）
　
ｃ．「実施例の説明
　以下その実施例を第１図〜第５図にもとづき説明する。
　図において、１は排圧を利用した電動送風機で、ボデー２にビス等で固定された裏板３とボデー上４で狭着している。５は着脱自在なダストボックス蓋で、ボデー２と共に収塵容器部６を形成している。
７は
紙袋で、
吸気口８に嵌合し、上記収塵容器部６の中に取付けている
　電動機１の排圧により吸引した被掃除面の塵埃と空気の混合気流はホース、吸気口８を通過し、
塵埃は紙袋７のフィルター作用によりその内部に捕集され
次に
紙袋７は
のり代１１ａにより筒状に形成された通気性のよい和紙等を用いたフィルター１１の前部に上記吸気口８に嵌合する口板１２を接着，シールした構成となっている
１３は口板１２の孔１２ａに対応する位置に貼りつけた上記口板１２ａの孔より大きな不通気性シート
　
ｄ．「　以上の構成により、吸気口８より突入した塵埃は、貫性力で不通気性シート１３に直撃するが、
従来この部分は通気性があるため
吸気口８と反対側の後部吸つき後部より塵埃がたまり
しかし、本実施例では
後部が不通気性であるため塵埃は後部に吸着されず
不通気性シート１３により補強してあるため
ガラス破片等鋭利な物を吸込んでも紙袋７の破れを生じなく
細塵洩れを生じることもない
なお、他の実施例として不通気性シートに塩化ビニール等、熱可塑性プラスチックを用いると熱溶着でき、のり付等不要で工数削減できるものである。」（第２頁右上欄１０行〜左下欄１２行）
　
ｅ．「発明の効果
　以上のように本発明によれば、目詰りをおこしにくく、塵埃がたまっても常にー定に近い吸塵力が得られ、吸塵力低下しないため効率のよい掃除ができるとともに、紙袋破れ、あるいは、ピンホールによる細塵洩れがなく、きわめて衛生的な掃除ができるものである。」（第２頁左下欄１３〜１９行）
　
ｆ．「図面の簡単を説明
　第１図は本発明一実施例における
電気掃除機の斜視図
　
ｇ．第３，４図には、
口板１２の中央に
　
《発明の認定》
　したがって、刊行物１には、
「塵埃を捕集する通気性のよい和紙を用いたフィルター１１と、このフィルター１１の前部に接着され、中央に孔１２ａを有する口板１２とからなり、上記口板１２を電気掃除機の吸気口８に嵌合することにより、電気掃除機内の収塵容器部６の中に取付けられる電気掃除機用の紙袋７であって、上記フィルター１１は、のり代１１ａにより筒状に形成された通気性のよい和紙からなり、上記口板１２をフィルター１１の前部に接着し、この口板１２の孔１２ａに対応する反対側の後部に不通気性シート１３を貼りつけ補強し、細塵の洩れが生じないようにした電気掃除機用の紙袋７。」
なる発明が記載されている。
　
　
（２）刊行物２に記載された発明
《記載事項》
　上記刊行物２には、図面と共に次のａ．〜ｅ．の記載がある。
ａ．「　〔産業上の利用分野〕
　この考案は電気掃除機の集塵袋，特に塵埃の捕捉性能の向上に関するものである。
　　　　〔従来の技術〕
　従来の電気掃除機の集塵袋を第７図〜第１２図において説明する。
　図において，(１)は掃除機本体，
　　　　　　　　　　・・・・・
(１５)は蓋体(１４)の下側に形成された吸込口(１３)から電動送風機(３)への連通路である集塵室，
　　　　　　　　　　・・・・・
(２９)は
集塵袋(２１)の枠体(２８)を支持する取付枠
　第７図の矢印は空気の流れを示す。又，第９図〜第１２図までの斜線は糊付け部を示す。従来の
電気掃除機の
集塵用ホース(２０)から床面等の塵埃が吸引され，吸込口(１３)を通過し，集塵袋(２１)で捕捉される。この時吸気は集塵袋(２１)を通過し,
　
ｂ．「　〔考案が解決しようとする課題〕
　上記のような従来の電気掃除機の集塵袋では，集塵用ホース(２０)からの強い吸気が枠体開口部(２７)に対向する袋状部(２４)の面に慣性により激しく突きあたった後，電動送風機(３)へ吸引されていくので，塵埃も枠体開口部(２７)に対向する袋状部(２４)の面に激しく突きあたり，そのうちの塵埃の一部が袋状部(２４)を突き抜けてしまい，さらには電動送風機(３)に吸い込まれ電動送風機(３)の寿命を縮めてしまうという問題点があった。
　この考案はかかる問題点を解決するためになされたもので，塵埃の突き抜けない安価な集塵袋を得ることを目的とする。
　　　　〔課題を解決するための手段〕
　この考案に係る電気掃除機の集塵袋は紙片の互いに対向する２辺の縁部を重ね合わせ該重ね合わせ部を接着して筒状部を形成し，この筒状部の両端開ロ縁部を折り込み該折り込み部を接着して袋状部を形成し，この袋状部の前記両端折り込み接着部間に位置しかつ前記重ね合わせ接着部と対向する面の中央部に開口部を形成し，さらにこの袋状部の開口部の周縁に，中央に開口部を有する枠体を接着固定して集塵袋を形成するものにおいて，
この集塵袋の前記重ね合わせ接着部を前記枠体開口部と真正面に対向する位置に配置し
　
ｃ．「　〔実施例〕
　この考案の一実施例を第１図〜第６図において説明する。図において、(１)〜(２０)，(２８)〜(３０)は第７図に示した構造と全く同一のものである。(３１)は集塵室(１５)に取入れられた集塵袋であり，この集塵袋(３１)は第２図〜第６図に示すように，
四辺を有する紙片のうち対向する２辺の縁部を重ね合わせて接着した重ね合わせ接着部(３２)を有する筒状部を形成し，筒状部(３３)の両端開口縁部を折り込み該折り込み部を接着して袋状部(３４)を形成し，この袋状部(３４)の両端折り込み接着部(３５)間に位置しかつ重ね合わせ接着部(３２)と対向する面の中央部に開口部(３６)を形成し，さらにこの袋伏部(３４)の開口部の周縁に，中央に枠体開口部(３７)を有する枠体(３８)を接着して集塵袋(３１)を形成している
　
ｄ．「上記のように構成された電気掃除機の集塵袋においては，電動送風機(３)の起動により発生する吸込気流により，
集塵用ホース(２０)から床面の塵埃が吸引され
枠体開口部(３７)と真正面に対向する重ね合わせ接着部(３２)に激しく突き当たる
この重ね合わせ接着部(３２)は紙が２重で糊が間に介在しているので通気性が悪くなっており微塵はほとんど突き抜けずに集塵袋(３１)内に捕捉出来る
　又，重ね合わせ幅が広く設けられているので，吸込気流の突き当りによるはがれもなく良好である。
　さらに重ね合わせ接着部(３２)の幅が広く又中央に設けられているので，集塵室(１５)への座りがよく左右に均一な拡張をするので，集塵容量が増大する。
　　　　　　　　　　・・・・・
　又，誤って
釘，画鋲等を吸引した場合，破れにくい重ね合わせ接着部(３２)に突き当たるので，集塵袋の破れを防止することが出来る
　
ｅ．「　〔考案の効果〕
　この考案は以上説明したとおり集塵袋の重ね合わせ接着部を枠体開口部と真正面に対向する位置に配置し，かつ重ね合わせ接着部の糊代幅を枠体開口部の直径と同等以上に接定したので，重ね安価な構成により，塵埃の突き抜けない集塵袋を得ることができるという効果がある。」（明細書第８頁５〜１１行）
　
《発明の認定》
　したがって、刊行物２には、
「四辺を有する紙片のうち対向する２辺の縁部を重ね合わせて接着した重ね合わせ接着部(３２)を有する筒状部を形成し、筒状部(３３)の両端開口縁部を折り込み該折り込み部を接着して袋状部(３４)を形成し、この袋状部(３４)に開口部(３６)を形成し，さらにこの開口部(３６)の周縁に，中央に枠体開口部(３７)を有し、掃除機本体(１)の取付枠(２９)に支持される枠体(３８)を接着固定した集塵袋(３１)であって、電気掃除機の集塵用ホース(２０)から床面等の塵埃が吸引され，この吸気が通過して、塵埃が捕捉される集塵袋(３１)において、上記枠体開口部(３７)と真正面に対向する位置に上記重ね合わせ接着部(３２)を配置し、この、塵埃が激しく突き当たる重ね合わせ接着部(３２)は紙を２重にし、糊を間に介在させることにより通気性を悪くして、釘，画鋲等を吸引した場合でも破れにくい重ね合わせ接着部(３２)にして、破れを防止することが出来る集塵袋(３１)。」
なる発明が記載されている。
　
　
（３）刊行物３に記載された発明
《記載事項》
　刊行物３には次のａ．〜ｆ．の記載がなされている。
ａ．「This invention relates to suction cleaners, and is concerned with filter bags for such cleaners, and means for mounting them in the suction cleaner.」（第１頁左欄９〜１２行）
「この発明は真空掃除機に関し、そして、このような
真空掃除機用のフィルター袋
　
ｂ．「The filter bag 20 shown in Figure 1 is of rectangular form and may be constructed in any known manner,preferably of air pervious paper which is impervious to the passage of dust.」（第２頁左欄３３〜３７行）
「第１図に示されるフィルター袋２０は長四角形の形状であり、どのような公知の方法で作られるのも可能であるが、好ましくは、空気透過性の紙で塵は透過しないもので作られるのが望ましい。」
　
ｃ．「The filter bag 35,of Figure 4 is formed from the blank 44 shown in Figure 5, ・・・　The blank 44 comprises a central top wall panel 36, and bottom wall paneIs　37a,37b,disposed one at either side of the blank,which are joined to each other to constitute the bottom wall 37.」（第２頁右欄１０９〜１１９行）
「第４図の
フィルター袋３５は
ブランク４４より形作られ
　
ｄ．「In forming the filter bag 35 the longitudinal edges of the bottom wall paneIs　37a,37b are overlapped and joined to each other by an adhesive to form a longitudinal seam 58１,so that the blank is of tubular form.The tube is then creased along the longitudinal fold lines,to give it the form shown in Figure 6.」（第３頁左欄１４〜２０行）
「フィルター袋３５を形成するに際し、底壁板３７ａ，３７ｂの
長手方向縁は重ね合わせられ、接着剤により互いに結合され、長手方向の継ぎ目５８
１
を形成し、ブランクは筒状となる
この筒は、その後長手方向の折り線に沿って折られ
　
ｅ．「With the blank thus formed the extension 49 of the top wall panel 36,and its adjacent sealing tabs 53 and 54 are folded back to overIie the panel 36,assuming the form shown in Figure 7. The extensions 50, and 51 and the adjacent sealing tabs 52 and 55 are then folded laterally along a  transverse fold line 58 to overlie the tuck folded triangular portions 56 and 57,forming therewith the transverse end wall 41 of the filter bag 35. An adhesive is applied to the exposed faces of the sealing tabs 52 and 55,and the extensions 51 and 50 are thus secured to the body of the filter bag 35 sea1ing the end wall.The extention 49 and its adjacent sealing tabs 53 and 54 are then folded over along a transverse fold line 59 to overlie the previously folded extensions 50 and 51.An adhesive is applied to the sealing tabs 53,54 for securing the extension 49 to the body of the filter bag,parallel to and overlying the end walI 4I.」（第３頁左欄３０〜５０行）
「ブランクに、かように上壁板３６の延長部４９は形成され、そして、それに隣接する封止片５３，５４は折り返されて第７図に示されるような形になるように上壁板３６に重ねられる。
延長部５１，５０とそれに隣接する封止片５２，５５は、次に、横断折り線５８に沿って、横断方向に折られ、三角形状の折込部５６，５７に重ねられ、それによりフィルター袋３５の長手方向終端壁４１を形成する
延長部４９とそれに隣接する封止片５３，５４は、それから、横断折り線５９に沿って折られ
延長部５１，５０に折り重ねられる
　
ｆ．第５図（Fig.5）には、ブランク４４（blank 44）が
展開図形状
　
《発明の認定》
　したがって、刊行物３には、
「真空掃除機用のフィルター袋３５であって、展開図形状のブランク４４の長手方向縁を重ね合わせ、接着剤により互いに結合し、長手方向の継ぎ目５８１を形成して筒状とし、その後長手方向の折り線に沿っており、さらに、横断折り線５８及び５９に沿って折ることにより作られる真空掃除機用のフィルター袋３５。」
なる発明が記載されている。
　
　
（４）刊行物４に記載された発明
《記載事項》
　刊行物４には次のａ．〜ｃ．の記載がなされている。
ａ．「【図面の簡単な説明】
　　　　　　　　　　・・・・・
【図９】図９（ａ）、（ｂ）および（ｃ）は、本考案における電気掃除機用集塵袋の折りたたみ方法を示す参考図である。
【図１０】図１０（ａ）、（ｂ）、（ｃ）および（ｄ）は、本考案における電気掃除機用集塵袋の折りたたみ方法を示す参考図である。」
　
ｂ．図９（ａ）及び図１０（ａ）には
集塵袋本体１を支持体２の下に折りたたんだ状態
集塵袋本体１を直方体状に膨らませた状態
　
ｃ．「【０００７】
  本考案の
電気掃除機用集塵袋は、塵埃を導入する導入口を有する支持体が、濾材が袋状に形成された集塵袋本体の開口部に設けられ
　　　　　　　　　　・・・・・
      【００１２】
  前記
集塵袋本体は
その素材としては
紙
などの素材に加工した濾材
が用いられる
ｄ．「【００３８】
  図９（ａ）〜（ｃ）は集塵袋本体１が
直方体である
      【００３９】
  図９（ｂ）において、集塵袋本体１の右側面に設けられた罫線Ｂ１を山折り、罫線Ｂ２およびＢ３を谷折りにし、また左側面をその中央付近で底辺と平行に谷折りすることにより、図９（ｃ）に示されるように集塵袋本体１が折りたたまれ、ついで図９（ａ）に示されるように偏平状に折りたたまれる。」
　
ｅ．「【００４０】
  図１０（ａ）〜（ｄ）は集塵袋本体１が
直方体状である
      【００４１】
  図１０（ｂ）において、集塵袋本体１に設けられた罫線Ｃ１〜Ｃ９をそれぞれを谷折りすることにより図１０（ｃ）に示されるように折りたたまれ、ついで罫線Ｃ１０を谷折りすることにより、図１０（ｄ）に示されるように折りたたまれる。つぎに罫線Ｃ１１を山折りにし、ついで罫線Ｃ１２を山折りすることにより図１０（ａ）に示されるように折りたたまれる。」
　
《発明の認定》
　したがって、刊行物４には、
「塵埃を導入する導入口を有する支持体２が、紙の濾材を袋状に形成した集塵袋本体１の開口部に設けられた電気掃除機用集塵袋であって、集塵袋本体１を折りたたんだ状態では、集塵袋本体１が支持体２の下に折りたたまれ、集塵袋本体１を膨らませた状態では、集塵袋本体１が直方体状に膨らませられる電気掃除機用集塵袋。」
なる発明が記載されている。
　
　
　
　
　
６．対比・判断
（１）対比
イ．用語の対応
　本件の請求項１に係る発明（以下、「本件発明１」という。）と、刊行物１に記載された発明とを対比する。
　刊行物１に記載された発明における
・塵埃を捕集する通気性のよい和紙、
・フィルター１１、
・孔１２ａ、
・口板１２、
・電気掃除機内の吸気口８に嵌合する、
・紙袋７、
・筒状に形成された、
は、本件発明１における
・集塵用の濾紙、
・パック本体、
・貫通孔、
・口紙板、
・掃除機内の被装着位置に嵌め込む、
・紙パック、
・角筒を形成し、
にそれぞれ相当すると認められる。
　　
ロ．「角筒の両開口を閉止する」についての検討
　本件の請求項１には「角筒の両開口を閉止する」と記載されている。
　これに対し、刊行物１に記載された発明では、「・・・上記フィルター１１は、のり代１１ａにより筒状に形成された通気性のよい和紙からなり、上記口板１２をフィルター１１の前部に接着し、・・・後部に不通気性シート１３を貼りつけ補強し、細塵の洩れが生じないようにした・・・」（上記５．(１)《発明の認定》の項参照）と認定されている。このように、「筒状に形成された通気性のよい和紙」の両端では、「・・口板１２をフィルター１１の前部に接着し、・・・後部に不通気性シート１３を貼りつけ・・・」ており、よって、「・・・細塵の洩れが生じないように・・・」しているのだから、刊行物１に記載された発明でも“筒状の和紙”の両端が閉止されているのは自明である。
　
ハ．「空気導入孔」に関する検討
　本件の請求項１には「・・・上記角筒の一方の開口を閉止した一面に上記口紙板の貫通孔に対応した空気導入孔が穿設され、・・・」と記載されている。
　これに対し、刊行物１に記載された発明では、「・・・この口板１２の孔１２ａに対応する反対側の後部に不通気性シート１３を貼りつけ補強し、細塵の洩れが生じないようにした・・・」（上記５．(１)《発明の認定》の項参照）と認定されており、また、刊行物１の上記引用箇所５．（１）ｄ．には、「・・・吸気口８より突入した塵埃は、貫性力で不通気性シート１３に直撃するが、従来この部分は通気性があるため、直撃した塵埃はそのまま吸気口８と反対側の後部吸つき・・・順次塵埃がたまっていった。しかし、本実施例では後部が不通気性であるため塵埃は後部に吸着されず、第４図のように塵埃は常に回動し、・・・また、塵埃が吸気口より突入し、直撃する部分が
不通気性シート１３により補強してあるため
細塵洩れを生じることもない
　
　
ニ．一致点
　したがって、両発明は
「　集塵用の濾紙からなるパック本体と、このパック本体に付設された、中央部に貫通孔を有する口紙板とからなり、上記口紙板を掃除機内の被装着位置に嵌め込むことによってパック本体が掃除機内に装着されるように構成された掃除機用の紙パックであって、上記パック本体は、濾紙を貼着することにより角筒を形成し、この角筒の両開口を閉止するように形成され、上記口紙板が貼着されるパック本体における上記角筒の一方の開口を閉止した一面に上記口紙板の貫通孔に対応した空気導入孔が穿設され、上記角筒における他方の開口を閉止した他面に補強紙が貼着されていることを特徴とする掃除機用の紙パック。」
で一致する。
　
ホ．相違点
　相違点Ａ：本件発明１では、「濾紙からなる」補強紙が貼着されている。
　これに対し、刊行物１に記載された発明では、「不通気性シート１３」を貼りつけ補強している。
　両発明はこの点で相違する。
　
　相違点Ｂ：本件発明１では、濾紙を「裁断して得た展開紙を互いに平行な所定本数の折り目で山折りに折り畳んで両側部を」貼着することにより角筒を形成する。また、「開口側の展開紙を折り込んで貼着することにより」角筒の両開口を閉止する
　これに対し、刊行物１に記載された発明では、展開紙を折り畳んで貼着することにより、和紙を筒状に形成していない。また、上記のように折り畳んで貼着することにより筒状の和紙の両端を閉止していない。
　両発明はこの点で相違する。
　
　相違点Ｃ：本件発明１では、紙パックが「萎ませることにより上記口紙板に積層された状態になる一方、膨らませることにより直方体状になるように上記展開紙が折り畳まれたものであり、」とされている。
　これに対し、刊行物１に記載された発明では、紙袋７を萎ませたり、膨らませたりするのかどうか不明である。
　両発明はこの点で相違する。
　
　
（２）判断
イ．相違点の検討
《相違点Ａについての検討》
　刊行物１に記載された発明では、吸気口８より突入した塵埃により直撃される部分は、従来では通気性のある材質で作られていたが、これを不通気性シート１３としたため、ガラス破片等鋭利な物を吸込んでも紙袋７の破れを生じなくなったとされている（上記引用箇所５．（１）ｄ．及び《発明の認定》の項参照）。
　しかし、刊行物２に記載された発明によれば、通気性のある紙であっても、「・・・紙を２重にし、糊を間に介在させることにより通気性を悪くして、釘，画鋲等を吸引した場合でも破れにくい重ね合わせ接着部(３２)にして、破れを防止することが出来る・・・」（上記５．(２)《発明の認定》の項参照）とされている。
　そうすると、両発明には、ガラス破片や画鋲等による破れを防止するという課題の共通性があるので、刊行物１に記載された発明の「不通気性シート１３」に換えて、刊行物２に記載された発明の上記のような、塵埃を捕捉する紙の通気性を悪くした「重ね合わせ接着部(３２)」を採用し、相違点Ａにおける本件発明１の特定事項に到達することは当業者であれば容易である。
　
　
《相違点Ｂについての検討》
　上記５．(３)《発明の認定》の項で認定したように、刊行物３に記載された発明では、展開図形状をしているブランク４４の長手方向縁を接着し、かつ、長手方向の折り線に沿って折りたたむことにより掃除機用のフィルター袋３５を作っている。そして、上記「長手方向の折り線」の内、上壁板３６及び底壁板３７ａ，３７ｂの長手方向縁に形成される４本の折り線が山折りであり、互いに平行であることは、同刊行物の第６図（Fig 6）に図示されるところより明らかである。
　しかも、筒の開口端を折りたたんで閉止することは、本件出願前において周知の技術にすぎない。（もし、周知文献が必要であれば、例えば、
＊実願昭５６−３８３号（実開昭５７−１１５３４８号）のマイクロ
　フィルム
　　特に、「本考案は電気掃除機用の集塵袋に関するもので・・・１は布あるいは紙製の集塵袋で
筒状に接着形成し
折畳み底部３を形成する
＊実願昭５８−１５４６１１号（実開昭６０−６３１４８号）のマイクロ
　フィルム
　　特に、「上記集塵袋(９)は通気性のある紙など薄手のろ材(２１)とウレタンフォームなどの発泡多孔質ろ材(２２)とで形成した重合シート(２３)により・・・立方体状に形成し、前面に集塵口(２４)を形成するとともにこの集塵口(２４)の周囲に矩形状の口枠(２５)を取付けたものである。
　　　　　　　　　　・・・・・
　そして、まず、このような溝(２６)を形成した１枚の重合シート(２３)の一端と他端とを接着して発泡多孔質ろ材(２２)からなるシート面を内面とする
筒状体を形成する
　次に直方体状に形成するための折目部としての溝(２６)の部分を順次折曲げて直方体状の袋を形成するが、まず、
第２図のように
筒状体の一方の開口部の左右両側を内方に折曲げ
接着し前面壁を形成する
　　　　　　　　　　・・・・・
　そして、
底部としての後面壁を形成するための溝(２６)の部分を折曲げて第５図のように後面壁を形成して直方体状の集塵袋(９)を形成する
＊上記刊行物３
　　特に、上記引用箇所５．（３）ｄ．及びｅ．、
等を参照。）
　したがって、刊行物１に記載された発明に、刊行物３に記載された発明及び周知技術を組み合わせ、相違点Ｂにおける本件発明１の構成に到達することは当業者であれば容易である。
　
　
《相違点Ｃについての検討》
　刊行物４に記載された発明では、「・・・集塵袋本体１を折りたたんだ状態では、集塵袋本体１が支持体２の下に折りたたまれ、集塵袋本体１を膨らませた状態では、集塵袋本体１が直方体状に膨らませられる・・・」（上記５．(４)《発明の認定》の項参照）と認定されている。
　したがって、刊行物１に記載された発明に、刊行物４に記載された発明を組み合わせ、相違点Ｃにおける本件発明１の特定事項に到達することは当業者であれば容易である。
　
　
ロ．効果についての検討
　本件発明１の効果は、刊行物１ないし４に記載された発明、及び周知技術から当業者により容易に推測されたものである。
　
　
ハ．まとめ
　このように、本件発明１は、本願の出願前に頒布された刊行物１ないし４に記載された発明、及び周知技術に基づいて、当業者が容易に発明をすることができたものであるから、特許法第２９条第２項の規定により、特許を受けることができない。
　
　
　
７．むすび
　以上のように、本件発明１は、特許法第２９条第２項の規定により、特許を受けることができないものである。
　したがって、本件の請求項２に係る発明について検討するまでもなく、本件出願は拒絶すべきものである。
　よって、結論のとおり審決する。